(57)【要約】      （修正有）【課題】耳掛け型補聴器や耳掛け型集音器を装着している人でも、マスクの着用が容易で、ストレスなくマスクを使用することのできるマスク保持具を提供する。【解決手段】マスク保持具１は耳装着部２とマスク取付部３を有する。耳装着部２はイヤリングやピアスと同じように耳たぶ７１に取り付けて装着することができる。マスク取付部３にはマスクの紐５１を取り付けることができる。そして、耳装着部２とマスク取付部３とは磁石により合体することができ、分離することもできる。耳たぶ７１に装着したマスク保持具１によりマスクの紐５１を保持できるため、耳掛け型補聴器６０とマスクの紐５１とが接触しない状態でマスク５０を使用できる。【選択図】図４
0003228708.tif 000002
【実用新案登録請求の範囲】
【請求項１】
耳たぶ(71)に装着可能な耳装着部(2)と、
マスクの紐(51)を取付可能なマスク取付部(3)とからなり、
該耳装着部(2)と該マスク取付部(3)とは磁石(41)により着脱可能に結合することができる
ことを特徴とするマスク保持具(1)。
【請求項２】
前記耳装着部(2)は耳たぶ(71)を挟むことにより耳たぶ(71)に装着可能である
ことを特徴とする請求項１記載のマスク保持具(1)。
【請求項３】
前記耳装着部(20)はその一部(20a)を耳たぶ(71)に開けられたピアス穴に通すことにより耳たぶ(71)に装着可能である
ことを特徴とする請求項1記載のマスク保持具。
【考案の詳細な説明】
【技術分野】
【０００１】
本考案は、衛生マスクを着用する際にマスクを保持するために使用するマスク保持具に関するものであり、特に耳掛け型補聴器を装着している人の使用に適したものに関する。
【背景技術】
【０００２】
インフルエンザや新型コロナウィルスなどの感染防止や、花粉症の花粉吸引防止等のためにマスク（衛生マスク）を着用する機会がある。特に近年では咳やクシャミにより唾液などの飛沫が周囲に飛び散らないように電車，バスなどの公共交通機関や、職場，学校，商業施設などの人の集まる場においてエチケットとしてマスクの着用を求められることも多い。
【０００３】
マスクの基本構造は、鼻と口を覆うガーゼ，不織布，紙などからなるマスク面と、そのマスク面の両側に備えられたリング状の紐とからなる。着用する際には両側の紐をそれぞれ耳（耳介）のつけ根後方に回して引っ掛けることによりマスクを保持する。
【０００４】
しかしながら「耳掛け型補聴器」または「耳掛け型集音器」を装着している人の場合、マスクを使用しづらいという問題がある。図１２は耳掛け型補聴器(60)を装着した人が、マスク(50)を使用している様子を示した図である。
【０００５】
耳掛け型補聴器(60)は装着すると耳（耳介）(70)のつけ根後方に接するように補聴器(60)の本体が位置する。そして、補聴器(60)の本体から耳介(70)上部を経て下方に伸びるチューブ（またはレシーバーワイヤーまたはフックチューブ）(61)が耳(70)のつけ根の上方を回り込んで、耳穴に挿入するイヤチップ（またはイヤーモールドまたはインナーカナルレシーバー）(62)に繋がっている。
【０００６】
マスク(50)を装着する際にはマスクの紐(51)を耳(70)のつけ根後方に回して引っ掛けるが、その位置には補聴器(60)本体があるため接触してしまい物理的に干渉して紐(51)を深く掛けにくい。そのため、紐(51)の掛かりがどうしても浅くなり、耳(70)から外れてしまいやすくなる。また、補聴器(60)とマスクの紐(51)の両方を耳(70)に掛けるため、両者の厚みにより耳(70)のつけ根が圧迫されて不快感を生じる。
【０００７】
耳(70)の上方でも、マスクの紐(51)と補聴器(60)のチューブ（またはレシーバーワイヤーまたはフックチューブ）(61)とが同じ場所を通るため接触し、どちらを内側に取り回すかなど位置関係の調整に気をつかわなくてはならない。
【０００８】
また、マスク(50)の着脱の際には、補聴器(60)がマスクの紐(51)に押されたり、引っ張られたりすることにより耳(70)から外れることや、装着位置がずれてしまうことがある。そのため、マスク(50)の着脱の度に煩わしさを感じる。このように、耳掛け型補聴器(60)等を装着している人にとって、補聴器(60)等と同じ場所に紐(51)を掛けなくてはならないマスク(50)は使いづらく不快を伴うものであった。
【０００９】
更に、眼鏡を掛けている場合は眼鏡の「テンプル（つる）」の先端部に位置する「先セル（モダン）」を耳の上から後方にかけて引っ掛けるように載せているため、耳の上方から後方にかけての箇所が更に混み合う。そのため、「耳かけ型補聴器」と「眼鏡の先セル」と「マスクの紐」が干渉し合い、場合によっては絡み合ってしまい、それぞれについて着脱することも容易ではなくなる。
【００１０】
マスクの紐を直接耳（耳介）に掛けない手段としては特開平１１−３８３６９号公報や特開平２０１４−１９７１７７号公報に眼鏡にマスクの紐を掛けるという提案がある。これらはいずれも眼鏡の「テンプル（つる）」にマスクの紐を掛けるための係止部材（クリップ）を装着するというアイデアである。
【００１１】
これらによればマスクの紐を係止部材（クリップ）に備えられているフックに引っ掛けるようにしている。確かにそのような構成であれば耳の後ろにマスク紐を回す必要がないので、少なくとも耳掛け型補聴器とマスクの紐が耳の後ろで接触することを防ぐことができ、耳掛け型補聴器を装着している人でもマスクを使用しやすくなる。
【００１２】
しかしながらに、このアイデアでは眼鏡に係止部材を取り付けることが必須となるため、眼鏡をしていない人は使用することができない。また、眼鏡をしている人でも一時的に眼鏡を外せば一緒にマスクも外れてしまう。
【００１３】
そこで、眼鏡の着用の有無を問わず、耳掛け型補聴器(60)や耳掛け型集音器を装着している人が、不便や不快を感じることなく気持ちよくマスク(50)を使用できる手段が求められていた。
【先行技術文献】
【特許文献】
【００１４】
【特許文献１】特開平１１−３８３６９号公報
【考案の概要】
【考案が解決しようとする課題】
【００１５】
そこで本考案は耳掛け型補聴器や耳掛け型集音器を着用している人でも、マスクの装着が容易で、ストレスなくマスクを使用することのできるマスク保持具を提供することを課題とする。
【課題を解決するための手段】
【００１６】
請求項１記載のマスク保持具(1)は、耳たぶ(71)に装着可能な耳装着部(2)と、マスクの紐(51)を取付可能なマスク取付部(3)とからなり、該耳装着部(2)と該マスク取付部(3)とは磁石(41)により着脱可能に結合することができることを特徴とする。
【００１７】
これによれば、耳たぶ(71)に装着した耳装着部(2)と、マスクの紐(51)を取り付けたマスク取付部(3)とを合体させることにより、マスクの紐(51)を耳(70)の後ろに回して掛けることなくマスク(50)を使用することができる。そのため、耳掛け型補聴器(60)とマスクの紐(51)が接触しない。
【００１８】
請求項２記載のマスク保持具は請求項1記載のマスク保持具において、前記耳装着部(2)は耳たぶ(71)を挟むことにより耳たぶ(71)に装着可能であることを特徴とする。
【００１９】
これによれば、ファッションのイヤリングと同じように耳たぶ(71)を挟み込むことにより耳装着部(2)を耳たぶ(71)に取り付けることができる。
【００２０】
請求項３記載の補聴器は請求項1記載のマスク保持具(1)において、前記耳装着部(20)はその一部(20a)を耳たぶ(71)に開けられたピアス穴に通すことにより耳たぶ(71)に装着可能であることを特徴とする。
【００２１】
これによれば、ファッションのイヤリングと同じように耳たぶ(71)を貫通するように開けられたピアス穴に耳装着部(20)の一部(20a)を通すことにより耳装着部(20)を耳たぶ(71)に取り付けることができる。
【考案の効果】
【００２２】
本考案によれば耳掛け型補聴器(60)を装着している人でも、マスクの紐(51)を耳(70)に掛ける必要がないので、補聴器(60)とマスクの紐が(51)が接触せず物理的に干渉しない。そのため、ストレスなくマスク(50)を使用することができる。
【図面の簡単な説明】
【００２３】
【図１】実施例１（分離時）を示した図。
【図２】実施例１（合体時）を示した図。
【図３】イヤリング部の動きを説明する図。
【図４】実施例１の使用状態を示した図。
【図５】マスクの紐の取り付けを説明する図。
【図６】マスクの紐の取り付けを説明する図。
【図７】マスクの紐の取り付けを説明する図。
【図８】耳側磁着部の磁石を備えた面の一例を示した図。
【図９】耳側磁着部の磁着面へのデザインパーツの取り付けを説明する図。
【図１０】実施例２のイヤリング部を示した図。
【図１１】実施例３を示した図。
【図１２】耳掛け型補聴器を装着した人がマスクを使用した状態を示した図。
【考案を実施するための形態】
【００２４】
以下、本考案を好適な実施例を用いて説明する。
【実施例１】
【００２５】
図１及び図２は本考案のマスク保持具(1)を示した図である。マスク保持具(1)はイヤリングのように耳たぶ(71)に取り付ける耳装着部としてのイヤリング部(2)と、マスク(50)の紐(51)を取り付けるマスク取付部(3)とからなる。
【００２６】
図３はイヤリング部(2)の動きを説明する図である。基本構成は通常のアクセサリーとしてのイヤリングと同様であり、挟持調節ネジ(2a)を回動させることによりパッド(2b)の位置を調節することができる。
【００２７】
イヤリング部(2)の挟持体(2e)は取付軸(2c)においてイヤリング部の本体(2d)に取り付けられており、取付軸(2c)を軸として本体(2d)に対して回動することができる。そして、挟持体(2e)とパッド(2b)により耳たぶ(71)を挟み込むことにより、耳(70)に装着することができる。
【００２８】
イヤリング部(2)が通常のイヤリングと異なる点は、通常のイヤリンクであれば意匠が施される部分に耳側磁着部(4)が設けられている点である。耳側磁着部(4)には小型の磁石が備えられている。本実施例では磁石として小さくても磁力の強いネオジム磁石を使用した。
【００２９】
尚、磁石を使用しているがサイズが小さく、しかも使用時でも補聴器(60)とは離れているので、その磁気が補聴器(60)の機能に悪影響を与えることはない。
【００３０】
マスク取付部(3)はマスクの紐(51)を取り付ける部分(6)と、マスク側磁着部(7)とを有する。本実施例においては、両者(6)，(7)は接続カン(8)により遊動可能に連結されている。マスク側磁着部(7)のイヤリング部(2)に近い端部には磁着面(5)が形成されている。磁着面(5)と前記イヤリング部(2)の耳側磁着部(4)とが磁着することにより、イヤリング部(2)とマスク取付部(3)とを着脱可能に取り付けることができる。図１はイヤリング部(2)とマスク取付部(3)とが分離した状態、図２はイヤリング部(2)とマスク取付部(3)とが合体した状態を示している。
【００３１】
磁着面(5)は耳側磁着部(4)と磁着できれば良いので、材質は磁石であってもよいし、鉄板などの強磁性体であっても良い。本実施例では強力な磁着を得るためにネオジム磁石を使用した。磁石を使用する場合は耳側磁着部(4)と磁着面(5)が互いに引き合うように逆の極性、すなわちＮ極とＳ極とが対向するように配する必要がある。
【００３２】
マスクの紐(51)を取り付ける部材としては、マスクの紐(51)を取り付けることができればどのような部材でもよく、形状や素材は限定されないが、本実施例では市販のグラスコードパーツ(6)を用いた。グラスコードパーツ(6)は、「眼鏡チェーン」や「眼鏡ストラップ」等の「グラスコード」を眼鏡のツルに取り付けるのに用いられる留め具パーツであり、「８字環」や「眼鏡留め具」などと称されることもある。前述のようにグラスコードパーツ(6)とマスク側磁着部(7)とは接続カン(8)により遊動可能に連結されている。
【００３３】
グラスコードパーツ(6)は、シリコンリング(6a)が金属製や合成樹脂製の筒状またはコイル状の調節部材(6b)に通されている。そのため、シリコンリング(6a)は調節部材(6b)の両側で小さなループを形成する。マスクの紐(51)は、シリコンリング(6a)のいずれかの側のループに係止する。係止の方法としては、紐(51)をループに結びつける、接着する、クリップ止めする等さまざまな手段が考えられるが、本実施例においては調節部材(6b)をスライドさせることにより係止させた。
【００３４】
図５〜図７はグラスコードパーツ(6)にマスクの紐(51)を係止する様子を順に示した図である。まず、図５に示すようにマスクの紐(51)の端をグラスコードパーツ(6)の一方のループ内に挿入する。ループは調節部材(6b)の両側にあるが、どちらのループに挿入しても良い。本実施例では、マスク(50)側に位置するループに挿入した。挿入する長さは、マスク紐(51)が装着時に適度なテンションとなるような長さとするが、後である程度調整することができるのであまり厳密にする必要はない。
【００３５】
次に図６に示すように調節部材(6b)をマスクの紐(51)を通した側のループにスライドさせることよりループの経を小さくする。そうするとマスクの紐(51)は締め込まれたループの内側に把持されるように係止される。これにより、マスクの紐(51)はマスク取付部(6)に取り付けられる。長さを調整したい場合は、調節部材(6b)を反対側にスライドさせ、ループを緩めた状態で、マスクの紐(51)のループへ挿入する長さを変えると良い。
【００３６】
図６の状態で、マスクの紐(51)の取り付けは完了するが、そのままではループから突出した紐(51)の先端部が見苦しいことがある。その場合は、図７に示すようにループから突出した紐(51)の先端部をハサミなどで切除するとよい。
【００３７】
図４は耳掛け型補聴器(60)を着用した人が、本実施例のマスク保持具(1)を用いてマスク(50)を使用した様子を示した図である。マスクの紐(51)は耳たぶ(71)に取り付けたマスク保持具(1)に取り付けられているため、マスク(50)を装着する際にも使用中にも補聴器(60)とマスクの紐(51)とが接触することはない。よって、マスク(50)を着脱しても補聴器(60)がマスクの紐(51)に当たってずれることや、外れてしまうことを防止できる。また、マスクの紐(51)はマスク取付部(3)に取り付けられているので、眼鏡の着用の有無を問わず使用することができる。
【００３８】
マスク(50)を使用する際には、先にイヤリング部(2)を耳たぶ(71)に取り付けておき、その後にマスクの紐(51)を係止したマスク取付部(3)をイヤリング部(2)と合体させるとやりやすい。マスク取付部(6)のマスク側磁着部(7)と、イヤリング部(2)の耳側磁着部(4)とを近づけると磁力により互いに引き合い合体するため装着は容易である。
【００３９】
マスク(50)使用中にクシャミや咳をした場合や、マスクのズレを直すために触る程度の力では、マスク取付部(3)はイヤリング部(2)から外れない。よって、使用時にはマスク(50)を安定して保持することができる。
【００４０】
もしマスク(50)を無理に引っ張るなど強い力が加わったような場合には、イヤリング部(2)とマスク取付部(3)とが分離するため、耳たぶ(71)に強い力が加わる事はなく安全である。
【００４１】
一般に、イヤリングを装着していると、髪の毛を触ったときなどに手や髪がイヤリングに触れてイヤリングが耳たぶ(71)から外れて落ちてしまうことがある。そして、落としたことに気づかず失ってしまうこともあるが、イヤリングは左右で１セットであるので、片方を失うと使用しづらくなる。その点、本実施例の場合、仮に手や髪が当たるなどしてイヤリング部(2)が耳たぶ(71)から外れても、マスク(50)と繋がっているために落として紛失することがなく、外れてもすぐに気がつく。
【００４２】
マスク(50)を外す際にはイヤリング部(2)とマスク取付部(3)とを分離させるとよい。この場合、イヤリング部(2)は通常のイヤリングと同様に耳たぶ(71)に取り付けられたままの状態となり、マスク(50)はマスク取付部(3)に取り付けられた状態で外すことができる。その後、通常のイヤリングを外すように耳たぶ(71)からイヤリング部(2)を取り外すと良い。もちろん、イヤリング部(2)とマスク取付部(3)とを分離させることなく、イヤリング部(2)を耳たぶ(71)から取り外すことによりマスク(50)を外すこともできる。
【００４３】
マスク(50)は１日中つけたままにすることはほとんど無く、例えば飲食時や化粧を直すようなときには一時的にマスク(50)を外すことになる。そのような場合は、再度マスク(50)を使用することを考えてイヤリング部(2)とマスク取付部(3)とを分離させることによりマスク(50)を外し、イヤリング部(2)は耳たぶ(71)に付けたままにすることが多いと考えられる。
【００４４】
そのような場合、耳側磁着部(4)の磁石の付いている面の露出が大きくなる。磁石がむき出しになると、デザイン的に好ましくないこともある。そこで、本実施例では耳側磁着部(4)の磁石(41)の周囲に意匠を施した。
【００４５】
図８は、耳側磁着部(4)の磁石(41)の付いている面を示した図である。磁石(41)自体も小さく表面が銀色をしているので意匠の一部となるが、その周囲に金属箔やビーズ，宝石などの意匠部材(42)を埋め込みや貼り付けにより配している。別の部材(42)を取り付けるだけでなく、周囲をマニキュアなどの塗料で塗装することにより意匠性を高めても良い。このようにデザインにも配慮しているため、イヤリング部(2)のみを装着している場合でもアクセサリーとして違和感がない。
【００４６】
耳側磁着部(4)はマスク側磁着部(7)より経が大きいので、イヤリング部(2)とマスク取付部(3)とが合体している状態でも、磁石(4)の周囲の意匠部材(42)は周囲に見せることができる。
【００４７】
また、耳側磁着部(4)には、意匠を施した別のパーツ(9)を取り付けてもよい。図９は意匠を施したデザインパーツ(9)を取り付ける様子を示した図である。デザインパーツ(9)は宝石やビーズなどを埋め込むことや，塗装，金属箔の貼り付けなどにより自由にデザインすることができる。デザインパーツ(9)はイヤリング部(2)とは別体であるため大きな面積を確保することもでき、デザインの自由度は大きくなる。
【００４８】
デザインパーツ(9)の裏面には鉄板(9a)が配されており、この鉄板(9a)が耳側磁着部(4)の磁石(41)と磁着する。デザインパーツ(9)が重い場合は鉄板(9a)の代わりに磁石を用いても良いが、通常は軽量であるため鉄板(9a)でも磁石(41)の磁力だけでも問題なくお保持できる。
【００４９】
耳側磁着部(4)がデザインパーツ(9)により覆われるため、マスク取付部(3)を外している時でも磁石(41)が露出することがなく、美しい意匠のデザインパーツ(9)によりデザイン性を更に高めることができる。
【００５０】
尚、デザインの異なる複数のデザインパーツ(9)を用意しておき、気分や服装などにあわせて好みのデザインパーツ(9)を選んで取り付けるようにしても良い。
【実施例２】
【００５１】
図１０は本実施例を示した図である。実施例１では、マスク取付部(3)を外した状態でもデザイン性を確保する手段として、耳側磁着部(4)自体にデザインを施こすことや、耳側磁着部(4)に別のデザインパーツ(9)を磁着させていた。
【００５２】
本実施例ではそれらに代えて、またはそれらに加えて、イヤリング部(2)に設けたカン（リング状部）(2f)に、Ｃカン(10a)を介して吊り下げモチーフ(10)を取り付けている。これにより、いわゆる「ドロップデザイン」のイヤリングとすることができる。
【００５３】
実施例１の場合、マスク(50)を取り付けている状態ではイヤリング側磁着部(4)の意匠は見えづらく、デザインパーツ(9)を取り付けることもできないため、派手なデザインとしにくいが、本実施例の場合はマスク(50)を付けている状態でも大きな吊り下げモチーフ(10)がよく見えるため、見映えのするデザインにすることができる。
【００５４】
着脱が容易なカニカン（レバー操作で開閉が可能なカン）等を用いるなどして複数用意した吊り下げモチーフ(10)を適宜付け替えることができるようにすれば、より自由なデザインを楽しむことができる。
【実施例３】
【００５５】
図１１は本実施例のマスク保持具を示した図である。マスク取付部(3)は実施例１と同じであるが、耳装着部が異なる。実施例１における耳装着部(2)はイヤリング型であり、耳たぶ(71)を挟み込むようにして耳(70)に取り付けていた。それに対して、本実施例では耳装着部として耳たぶ(71)を貫通するピアス穴に装着できるピアス部(20)を使用している。そのため、本実施例はピアス穴を開けている人しか装着することができない。
【００５６】
ピアス部(20)の基本構成はファッションのピアスと同様であり、ピアス穴に通すポスト(20a)と、ピアス穴に通したポスト(20a)が抜けないように固定する留め具（キャッチ）(20b)を備えている。そして、本来、意匠パーツを取り付ける箇所に耳側磁着部(20c)を備えている。使用の際には、耳側磁着部(20c)とマスク側磁着部(7)とを磁着させることにより、ピアス部(20)とマスク取付部(3)とを合体させる。その他は実施例１と同様である。
【００５７】
尚、実施例２のように、吊り下げモチーフ(10)を取り付けることのできる構造にして、「ドロップデザイン」のピアスのようにすることもできる。
【産業上の利用可能性】
【００５８】
本考案は衛生マスクの使用に適したものであるが、軽量なものであれば他のマスク、例えば防塵マスク，防毒マスク，酸素マスク等にも使用することも可能である。また、耳掛け型の補聴器や集音器を装着している人の使用を主に想定しているが、補聴器等の装着の有無を問わず、眼鏡を着用している人にも効果的である。更には、補聴器等や眼鏡の着用の有無を問わず、単にファッションとして利用することも可能である。
【符号の説明】
【００５９】
１    マスク保持具
２    イヤリング部（耳装着部）
２ａ  挟持調節ネジ
２ｂ  パッド
２ｃ  取付軸
２ｄ  イヤリング部の本体
２ｅ  イヤリング部の挟持体
２ｆ  カン（リング状部）
３    マスク取付部
４    耳側磁着部
４１  磁石
４２  意匠部材
５    磁着面
６    グラスコードパーツ
６ａ  シリコンリング
６ｂ  調節部材
７  マスク側磁着部
８  接続カン
９  デザインパーツ
９ａ  鉄板
１０  吊り下げモチーフ
１０ａ  Ｃカン
２０  ピアス部（耳装着部）
２０ａ  ピアスのポスト
２０ｂ  ピアスの留め具（キャッチ）
２０ｃ  耳側磁着部
５０  マスク
５１  マスクの紐
６０  耳掛け型補聴器
６１  補聴器のチューブ（またはレシーバーワイヤーまたはフック）
６２  補聴器のイヤチップ（またはイヤーモールドまたはインナーカナルレシーバー）
７０  耳（耳介）
７１  耳たぶ（耳垂）
【図１】
0003228708.tif 000003
【図２】
0003228708.tif 000004
【図３】
0003228708.tif 000005
【図４】
0003228708.tif 000006
【図５】
0003228708.tif 000007
【図６】
0003228708.tif 000008
【図７】
0003228708.tif 000009
【図８】
0003228708.tif 000010
【図９】
0003228708.tif 000011
【図１０】
0003228708.tif 000012
【図１１】
0003228708.tif 000013
【図１２】
0003228708.tif 000014